【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】  単離された核酸分子であって、該核酸分子は、以下：
（ａ）配列番号１、配列番号３、配列番号５、配列番号７、配列番号９、配列番号１１、配列番号１３または配列番号１５に示されるヌクレオチド配列；
（ｂ）配列番号１、配列番号３、配列番号５、配列番号７、配列番号９、配列番号１１、配列番号１３または配列番号１５のＭＫ６１コード部分；
（ｃ）配列番号２、配列番号４、配列番号６、配列番号８、配列番号１０、配列番号１２、配列番号１４、または配列番号１６に示されるポリペプチドをコードするヌクレオチド配列；
（ｄ）（ａ）または（ｂ）の相補体に中程度にストリンジェントな条件下でハイブリダイズするヌクレオチド配列であって、そのコードされるポリペプチドは、配列番号２、配列番号４、配列番号６、配列番号８、配列番号１０、配列番号１２、配列番号１４、または配列番号１６に示されるポリペプチドの活性を有する、ヌクレオチド配列；および
（ｅ）（ａ）〜（ｄ）のいずれかに相補的なヌクレオチド配列
からなる群より選択されるヌクレオチド配列を含む、
核酸分子。
【請求項２】  単離された核酸分子であって、該核酸分子は、以下：
（ａ）配列番号２、配列番号４、配列番号６、配列番号８、配列番号１０、配列番号１２、配列番号１４、または配列番号１６に示されるポリペプチドに少なくとも約７０％同一性を示すポリペプチドをコードするヌクレオチド配列であって、該ポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｂ）配列番号１、配列番号３、配列番号５、配列番号７、配列番号９、配列番号１１、配列番号１３または配列番号１５に示されるヌクレオチド配列の対立遺伝子改変体またはスプライス改変体をコードするヌクレオチド配列であって、そのコードされるポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｃ）少なくとも約２５アミノ酸残基のポリペプチドフラグメントをコードする、配列番号１、配列番号３、配列番号５、配列番号７、配列番号９、配列番号１１、配列番号１３もしくは配列番号１５、（ａ）または（ｂ）のヌクレオチド配列であって、そのコードされるポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｄ）少なくとも約１６ヌクレオチドのフラグメントを含む、配列番号１、配列番号３、配列番号５、配列番号７、配列番号９、配列番号１１、配列番号１３または配列番号１５、あるいは（ａ）〜（ｃ）のヌクレオチド配列；
（ｅ）（ａ）〜（ｄ）のいずれかの相補体に中程度にストリンジェントな条件下でハイブリダイズするヌクレオチド配列であって、そのポリペプチドは、配列番号２、配列番号４、配列番号６、配列番号８、配列番号１０、配列番号１２、配列番号１４、または配列番号１６に示されるポリペプチドの活性を有する、ヌクレオチド配列；および
（ｆ）（ａ）〜（ｃ）のいずれかに相補的なヌクレオチド配列
からなる群より選択されるヌクレオチド配列を含む、
核酸分子。
【請求項３】  単離された核酸分子であって、該核酸分子は、以下：
（ａ）少なくとも１つの保存的アミノ酸置換を有する、配列番号２、配列番号４、配列番号６、配列番号８、配列番号１０、配列番号１２、配列番号１４、または配列番号１６に示されるポリペプチドをコードするヌクレオチド配列であって、該ポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｂ）少なくとも１つのアミノ酸挿入を有する配列番号２、配列番号４、配列番号６、配列番号８、配列番号１０、配列番号１２、配列番号１４、または配列番号１６に示されるポリペプチドをコードするヌクレオチド配列であって、該ポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｃ）少なくとも１つのアミノ酸欠失を有する、配列番号２、配列番号４、配列番号６、配列番号８、配列番号１０、配列番号１２、配列番号１４、または配列番号１６に示されるポリペプチドをコードするヌクレオチド配列であって、該ポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｄ）Ｃ末端短縮および／またはＮ末端短縮を有する、配列番号２、配列番号４、配列番号６、配列番号８、配列番号１０、配列番号１２、配列番号１４、または配列番号１６に示されるポリペプチドをコードするヌクレオチド配列であって、そのポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｅ）アミノ酸置換、アミノ酸挿入、アミノ酸欠失、Ｃ末端短縮およびＮ末端短縮からなる群より選択される少なくとも１つの改変を有する配列番号２、配列番号４、配列番号６、配列番号８、配列番号１０、配列番号１２、配列番号１４、または配列番号１６に示されるポリペプチドをコードするヌクレオチド配列であって、そのポリペプチドは、配列番号２、配列番号４、配列番号６、配列番号８、配列番号１０、配列番号１２、配列番号１４、または配列番号１６に示されるポリペプチドの活性を有する、ヌクレオチド配列；
（ｆ）少なくとも約１６ヌクレオチドのフラグメントを含む（ａ）〜（ｅ）のヌクレオチド配列；
（ｇ）（ａ）〜（ｆ）のいずれかの相補体に中程度にストリンジェントな条件下でハイブリダイズするヌクレオチド配列であって、そのポリペプチドは、配列番号２、配列番号４、配列番号６、配列番号８、配列番号１０、配列番号１２、配列番号１４、または配列番号１６に示されるポリペプチドの活性を有する、ヌクレオチド配列；および
（ｈ）（ａ）〜（ｅ）のいずれかに相補的なヌクレオチド配列
からなる群より選択されるヌクレオチド配列を含む、
核酸分子。
【請求項４】  請求項１、２または３に記載の核酸分子を含む、ベクター。
【請求項５】  請求項４に記載のベクターを含む、宿主細胞。
【請求項６】  真核生物細胞である、請求項５に記載の宿主細胞。
【請求項７】  原核生物細胞である、請求項５に記載の宿主細胞。
【請求項８】  ＭＫ６１ポリペプチドを産生するプロセスであって、請求項５に記載の宿主細胞を、該ポリペプチドを発現するのに適切な条件下で培養する工程、および必要に応じて、該培養物から該ポリペプチドを単離する工程を包含する、プロセス。
【請求項９】  請求項８に記載のプロセスによって産生された、単離されたポリペプチド。
【請求項１０】  請求項８に記載のプロセスであって、前記核酸分子は、該ＭＫ６１ポリペプチドをコードするヌクレオチド配列に作動可能に連結された、ネイティブなＭＫ６１ポリペプチドについてのプロモーターＤＮＡ以外のプロモーターＤＮＡを含む、プロセス。
【請求項１１】  請求項２に記載の単離された核酸分子であって、ここで、前記同一性パーセントが、ＧＡＰ、ＢＬＡＳＴＰ、ＢＬＡＳＴＮ、ＦＡＳＴＡ、ＢＬＡＳＴＡ、ＢＬＡＳＴＸ、ＢｅｓｔＦｉｔおよびＳｍｉｔｈ−Ｗａｔｅｒｍａｎアルゴリズムからなる群より選択されるコンピュータープログラムを使用して決定される、核酸分子。
【請求項１２】  ＭＫ６１ポリペプチドの活性または産生の、候補インヒビターを同定するプロセスであって、該プロセスは、請求項５、６、または７に記載の細胞を該候補インヒビターに曝露する工程、該細胞におけるＭＫ６１ポリペプチドの活性または産生を測定する工程、および該候補インヒビターに曝露した細胞中のＭＫ６１の活性と、該候補インヒビターに曝露していない細胞中の活性とを比較する工程、を包含する、プロセス。
【請求項１３】  ＭＫ６１ポリペプチドの活性または産生の、候補刺激因子を同定するプロセスであって、該プロセスは、請求項５、６、または７に記載の細胞を候補刺激因子に曝露する工程、該細胞におけるＭＫ６１ポリペプチドの活性候補を測定する工程、および該候補刺激因子に曝露した細胞中のＭＫ６１の活性と該刺激因子に曝露していない細胞中の活性とを比較する工程を包含する、プロセス。
【請求項１４】  配列番号２、配列番号４、配列番号６、配列番号８、配列番号１０、配列番号１２、配列番号１４、または配列番号１６に示されるアミノ酸配列を含む、単離されたポリペプチド。
【請求項１５】  単離されたポリペプチドであって、該ポリペプチドは、以下：
（ａ）配列番号２、配列番号４、配列番号６、配列番号８、配列番号１０、配列番号１２、配列番号１４、または配列番号１６に示されるポリペプチドの成熟形態を含むアミノ酸配列であって、必要に応じてさらに、アミノ末端メチオニンを含む、アミノ酸配列；
（ｂ）配列番号２、配列番号４、配列番号６、配列番号８、配列番号１０、配列番号１２、配列番号１４、または配列番号１６のオルソログのアミノ酸配列であって、ここで、このオルソログは、配列番号２、配列番号４、配列番号６、配列番号８、配列番号１０、配列番号１２、配列番号１４、または配列番号１６に示されるポリペプチドの活性を有する、アミノ酸配列；
（ｃ）配列番号２、配列番号４、配列番号６、配列番号８、配列番号１０、配列番号１２、配列番号１４、または配列番号１６のアミノ酸配列に対して、少なくとも約７０％同一性を示すアミノ酸配列であって、そのコードされるポリペプチドは、配列番号２、配列番号４、配列番号６、配列番号８、配列番号１０、配列番号１２、配列番号１４、または配列番号１６に示されるポリペプチドの活性を有する、アミノ酸配列；
（ｄ）少なくとも約２５アミノ酸残基を含む配列番号２、配列番号４、配列番号６、配列番号８、配列番号１０、配列番号１２、配列番号１４、または配列番号１６に示されるアミノ酸配列のフラグメントであって、そのコードされるポリペプチドは、配列番号２、配列番号４、配列番号６、配列番号８、配列番号１０、配列番号１２、配列番号１４、または配列番号１６に示されるポリペプチドの活性を有する、フラグメント；ならびに
（ｅ）配列番号２、配列番号４、配列番号６、配列番号８、配列番号１０、配列番号１２、配列番号１４、もしくは配列番号１６または（ａ）〜（ｃ）の少なくとも１つに示されるアミノ酸配列のいずれかの対立遺伝子改変体またはスプライス改変体のアミノ酸配列であって、そのコードされるポリペプチドは、配列番号２、配列番号４、配列番号６、配列番号８、配列番号１０、配列番号１２、配列番号１４、または配列番号１６に示されるポリペプチドの活性を有する、アミノ酸配列
からなる群より選択されるアミノ酸配列を含む、
ポリペプチド。
【請求項１６】  単離されたポリペプチドであって、該ポリペプチドは、以下：
（ａ）少なくとも１つの保存的アミノ酸置換を有する、配列番号２、配列番号４、配列番号６、配列番号８、配列番号１０、配列番号１２、配列番号１４、または配列番号１６に示されるアミノ酸配列であって、そのコードされるポリペプチドは、配列番号２、配列番号４、配列番号６、配列番号８、配列番号１０、配列番号１２、配列番号１４、または配列番号１６に示されるポリペプチドの活性を有する、アミノ酸配列；
（ｂ）少なくとも１つのアミノ酸挿入を有する、配列番号２、配列番号４、配列番号６、配列番号８、配列番号１０、配列番号１２、配列番号１４、または配列番号１６に示されるアミノ酸配列であって、そのポリペプチドは、配列番号２、配列番号４、配列番号６、配列番号８、配列番号１０、配列番号１２、配列番号１４、または配列番号１６に示されるポリペプチドの活性を有する、アミノ酸配列；
（ｃ）少なくとも１つのアミノ酸欠失を有する配列番号２、配列番号４、配列番号６、配列番号８、配列番号１０、配列番号１２、配列番号１４、または配列番号１６に示されるアミノ酸配列であって、そのポリペプチドは、配列番号２、配列番号４、配列番号６、配列番号８、配列番号１０、配列番号１２、配列番号１４、または配列番号１６に示されるポリペプチドの活性を有する、アミノ酸配列；
（ｄ）Ｃ末端短縮および／またはＮ末端短縮を有する、配列番号２に示されるアミノ酸配列であって、ここで、そのポリペプチドは、配列番号２、配列番号４、配列番号６、配列番号８、配列番号１０、配列番号１２、配列番号１４、または配列番号１６に示されるポリペプチドの活性を有する、アミノ酸配列；ならびに（ｅ）アミノ酸置換、アミノ酸挿入、アミノ酸欠失、Ｃ末端短縮およびＮ末端短縮からなる群より選択される少なくとも１つの改変を有する、配列番号２、配列番号４、配列番号６、配列番号８、配列番号１０、配列番号１２、配列番号１４、または配列番号１６に示されるアミノ酸配列であって、ここで、そのポリペプチドは、配列番号２、配列番号４、配列番号６、配列番号８、配列番号１０、配列番号１２、配列番号１４、または配列番号１６に示されるポリペプチドの活性を有する、アミノ酸配列
からなる群より選択されるアミノ酸配列を含む、
ポリペプチド。
【請求項１７】  請求項１５または請求項１６に記載のアミノ酸を含むポリペプチドであって、ここで、配列番号２、配列番号４、配列番号６、配列番号８、配列番号１０または配列番号１２の位置３８にあるアミノ酸は、システイン、セリンまたはアラニンである、ポリペプチド。
【請求項１８】  請求項１５または請求項１６に記載のアミノ酸を含むポリペプチドであって、ここで、配列番号２、配列番号４、配列番号６、配列番号８、配列番号１０または配列番号１２の位置３９にあるアミノ酸は、システイン、セリンまたはアラニンである、ポリペプチド。
【請求項１９】  請求項１５または請求項１６に記載のアミノ酸を含むポリペプチドであって、ここで、配列番号２、配列番号４、配列番号６、配列番号８、配列番号１０または配列番号１２の位置５１にあるアミノ酸は、システイン、セリンまたはアラニンである、ポリペプチド。
【請求項２０】  請求項１５または請求項１６に記載のアミノ酸を含むポリペプチドであって、ここで、配列番号２、または配列番号６の位置６０にあるアミノ酸は、システイン、セリンまたはアラニンである、ポリペプチド。
【請求項２１】  請求項１５または請求項１６に記載のアミノ酸を含むポリペプチドであって、ここで、配列番号２または配列番号６の位置７６にあるアミノ酸は、システイン、セリンまたはアラニンである、ポリペプチド。
【請求項２２】  請求項１５または請求項１６に記載のアミノ酸を含むポリペプチドであって、ここで、配列番号１４または配列番号１６の位置４１にあるアミノ酸は、システイン、セリンまたはアラニンである、ポリペプチド。
【請求項２３】  請求項１５または請求項１６に記載のアミノ酸を含むポリペプチドであって、ここで、配列番号１４または配列番号１６の位置４２にあるアミノ酸は、システイン、セリンまたはアラニンである、ポリペプチド。
【請求項２４】  請求項１５または請求項１６に記載のアミノ酸を含むポリペプチドであって、ここで、配列番号１４または配列番号１６の位置５４にあるアミノ酸は、システイン、セリンまたはアラニンである、ポリペプチド。
【請求項２５】  請求項１５または請求項１６に記載のアミノ酸を含むポリペプチドであって、ここで、配列番号１４または配列番号１６の位置６３にあるアミノ酸は、システイン、セリンまたはアラニンである、ポリペプチド。
【請求項２６】  請求項１５または請求項１６に記載のアミノ酸を含むポリペプチドであって、ここで、配列番号１４または配列番号１６の位置７９にあるアミノ酸は、システイン、セリンまたはアラニンである、ポリペプチド。
【請求項２７】  請求項１５または請求項１６に記載のアミノ酸を含むポリペプチドであって、ここで、配列番号２の位置１７１にあるアミノ酸は、ロイシン、ノルロイシン、イソロイシン、バリン、メチオニン、アラニンまたはフェニルアラニンである、ポリペプチド。
【請求項２８】  請求項１５または請求項１６に記載のアミノ酸を含むポリペプチドであって、ここで、配列番号２の位置１７２にあるアミノ酸は、ロイシン、ノルロイシン、イソロイシン、バリン、メチオニン、アラニンまたはフェニルアラニンである、ポリペプチド。
【請求項２９】  請求項１５または請求項１６に記載のアミノ酸を含むポリペプチドであって、ここで、配列番号１４または配列番号１６の位置１７８にあるアミノ酸は、ロイシン、ノルロイシン、イソロイシン、バリン、メチオニン、アラニンまたはフェニルアラニンである、ポリペプチド。
【請求項３０】  請求項１５または請求項１６に記載のアミノ酸を含むポリペプチドであって、ここで、配列番号１４または配列番号１６の位置１８０にあるアミノ酸は、ロイシン、ノルロイシン、イソロイシン、バリン、メチオニン、アラニンまたはフェニルアラニンである、ポリペプチド。
【請求項３１】  請求項１、２、または３に記載の核酸分子によって、コードされる、単離されたポリペプチド。
【請求項３２】  請求項１５に記載の単離されたポリペプチドであって、ここで、前記同一性パーセントが、ＧＡＰ、ＢＬＡＳＴＰ、ＢＬＡＳＴＮ、ＦＡＳＴＡ、ＢＬＡＳＴＡ、ＢＬＡＳＴＸ、ＢｅｓｔＦｉｔおよびＳｍｉｔｈ−Ｗａｔｅｒｍａｎアルゴリズムからなる群より選択されるコンピュータープログラムを使用して決定される、ポリペプチド。
【請求項３３】  配列番号２、配列番号４、配列番号６、配列番号８、配列番号１０、配列番号１２、配列番号１４、または配列番号１６のアミノ酸配列を含むペプチドで動物を免疫することによって産生された、抗体。
【請求項３４】  請求１４、１５または１６のいずれか１項に記載のポリペプチドを特異的に結合する、抗体またはそのフラグメント。
【請求項３５】  モノクローナル抗体である、請求項３４に記載の抗体。
【請求項３６】  配列番号２、配列番号４、配列番号６、配列番号８、配列番号１０、配列番号１２、配列番号１４、または配列番号１６のアミノ酸配列を含むペプチドに結合するモノクローナル抗体を産生する、ハイブリドーマ。
【請求項３７】  サンプル中のＭＫ６１ポリペプチドの検出またはＭＫ６１ポリペプチドの定量を行う方法であって、該方法は、ＭＫ６１を含有すると推測されるサンプルと、抗ＭＫ６１抗体または請求項３３、３４もしくは３５のいずれかに記載の抗体フラグメントとを接触させる工程、および該抗体または該抗体フラグメントの結合を検出する工程を包含する、方法。
【請求項３８】  少なくとも１つのポリペプチドを特異的に結合する選択的結合因子またはそのフラグメントであって、該ポリペプチドは、以下：
（ａ）配列番号２、配列番号４、配列番号６、配列番号８、配列番号１０、配列番号１２、配列番号１４、または配列番号１６に示されるアミノ酸配列；および（ｂ）配列番号２、配列番号４、配列番号６、配列番号８、配列番号１０、配列番号１２、配列番号１４、または配列番号１６の少なくとも１つに示されるアミノ酸配列の、少なくとも約２５アミノ酸のフラグメント；ならびに
（ｃ）（ａ）または（ｂ）の天然に存在する改変体
からなる群より選択されるアミノ酸配列を含む、
選択的結合因子またはそのフラグメント。
【請求項３９】  抗体またはそのフラグメントである、請求項３８に記載の選択的結合因子。
【請求項４０】  ヒト化抗体である、請求項３８に記載の選択的結合因子。
【請求項４１】  ヒト抗体またはそのフラグメントである、請求項３８に記載の選択的結合因子。
【請求項４２】  ポリクローナル抗体またはそのフラグメントである、請求項３８に記載の選択的結合因子。
【請求項４３】  モノクローナル抗体またはそのフラグメントである、請求項３８に記載の選択的結合因子。
【請求項４４】  キメラ抗体またはそのフラグメントである、請求項３８に記載の選択的結合因子。
【請求項４５】  相補性決定領域ＣＤＲ０グラフト化抗体またはそのフラグメントである、請求項３８に記載の選択的結合因子。
【請求項４６】  抗イディオタイプ抗体またはそのフラグメントである、請求項３８に記載の選択的結合因子。
【請求項４７】  抗体可変領域フラグメントである、請求項３８に記載の選択的結合因子。
【請求項４８】  ＦａｂフラグメントまたはＦａｂ’フラグメントである、請求項３８に記載の可変領域フラグメント。
【請求項４９】  選択的結合因子またはそのフラグメントであって、配列番号２、配列番号４、配列番号６、配列番号８、配列番号１０、配列番号１２、配列番号１４、または配列番号１６のアミノ酸配列を有するポリペプチドに対する特異性を有する、少なくとも１つの相補性決定領域を含む、選択的結合因子またはそのフラグメント。
【請求項５０】  検出可能な標識が結合されている、請求項３８に記載の選択的結合因子。
【請求項５１】  ＭＫ６１ポリペプチドの生物学的活性のアンタゴニストまたはアゴニストである、請求項３８に記載の選択的結合因子。
【請求項５２】  疾患、状態または障害を、処置、予防または改善するための組成物であって、請求項３８に記載の選択的結合因子の有効量を含む、組成物。
【請求項５３】  配列番号２、配列番号４、配列番号６、配列番号８、配列番号１０、配列番号１２、配列番号１４、または配列番号１６からなる群より選択されたアミノ酸配列を含むポリペプチドで動物を免疫することによって産生された、選択的結合因子。
【請求項５４】  請求項１、２または３に記載のポリペプチドを結合し得る選択的結合因子を産生する、ハイブリドーマ。
【請求項５５】  請求項１４、１５、または１６に記載のポリペプチド、および薬学的に受容可能な処方剤を含む、組成物。
【請求項５６】  前記薬学的に受容可能な処方剤が、キャリア、アジュバント、可溶化剤、安定剤、または抗酸化剤である、請求項５５に記載の組成物。
【請求項５７】  前記ポリペプチドが、配列番号２、配列番号４、配列番号６、配列番号８、配列番号１０、配列番号１２、配列番号１４、または配列番号１６に示されるポリペプチドの成熟形態を含む、請求項５５に記載の組成物。
【請求項５８】  請求項１４、１５、または１６に記載のポリペプチドの誘導体を含む、ポリペプチド。
【請求項５９】  水溶性ポリマーで共有結合的に改変されている、請求項５８に記載のポリペプチド。
【請求項６０】  請求項５１に記載のポリペプチドであって、ここで、前記水溶性ポリマーが、ポリエチレングリコール、モノメトキシ−ポリエチレングリコール、デキストラン、セルロース、ポリ−（Ｎ−ビニルピロリドン）ポリエチレングリコール、プロピレングリコールホモポリマー、ポリプロピレンオキシド／エチレンオキシドコポリマー、ポリオキシエチル化ポリオール、およびポリビニルアルコールからなる群より選択される、ポリペプチド。
【請求項６１】  請求項１、２または３に記載の核酸分子、および薬学的に受容可能な処方剤を含む、組成物。
【請求項６２】  前記核酸分子が、ウイルスベクター中に含まれる、請求項６１に記載の組成物。
【請求項６３】  請求項１、２または３のいずれか１項に記載の核酸分子を含む、ウイルスベクター。
【請求項６４】  異種アミノ酸配列に融合された、請求項１４、１５、または１６のいずれか１項に記載のポリペプチドを含む、ポリペプチド。
【請求項６５】  前記異種アミノ酸配列が、ＩｇＧ定常ドメインまたはそのフラグメントである、請求項６４に記載の融合ポリペプチド。
【請求項６６】  配列番号３６に記載のアミノ酸配列を含む、融合ポリペプチド。
【請求項６７】  配列番号３９に記載のアミノ酸配列を含む、融合ポリペプチド。
【請求項６８】  ＭＫ６１ポリペプチドのレベルの増加により生じる哺乳動物の医学的状態を、処置、予防または改善するための組成物であって、該組成物は、治療有効量のアンタゴニストを含み、該アンタゴニストが、選択的結合因子、低分子、ペプチド、ペプチド誘導体およびアンチセンスオリゴヌクレオチドからなる群より選択される、組成物。
【請求項６９】  ＭＫ６１ポリペプチドのレベルの減少により生じる哺乳動物の医学的状態を、処置、予防または改善するための組成物であって、該組成物は、治療有効量のポリペプチドを含み、該ポリペプチドは、請求項１４、１５、もしくは１６のいずれか１項に記載のポリペプチドまたは請求項１、２、または３のいずれに記載される核酸によってコードされるポリペプチドである、組成物。
【請求項７０】  ＭＫ６１ポリペプチドの異常なレベルによって引き起こされるか、またはＭＫ６１ポリペプチドの異常なレベルから生じる、被験体における病理学的状態または病理学的状態に対する感受性の診断を支援するための方法であって、以下：
（ａ）サンプル中の請求項１４、１５もしくは１６のいずれか１項に記載のポリペプチド、または請求項１、２もしくは３のいずれか１項に記載の核酸分子によってコードされるポリペプチドの発現の存在または量を決定する工程；および
（ｂ）正常被験体または異なる時刻における該被験体由来の、生物学的サンプル、組織サンプルまたは細胞サンプル中のＭＫ６１ポリペプチドのレベルを比較する工程であって、ここで、病理学的状態に対する感受性が該ポリペプチドの発現の存在または量に基く、工程
を包含する、方法。
【請求項７１】  デバイスであって、以下：
（ａ）移植に適合性の膜；および
（ｂ）該膜内にカプセル化された細胞、
を備え、ここで、該細胞は、請求項１４、１５または１６のいずれか１項に記載のポリペプチドを分泌し、そして、ここで、該膜は、該ポリペプチドに対して透過性である、デバイス。
【請求項７２】  デバイスであって、以下：
（ａ）移植に適合性の膜；および
（ｂ）該膜内にカプセル化されたＭＫ６１ポリペプチド、
を備え、ここで、該該膜は、該ポリペプチドに対して透過性である、デバイス。
【請求項７３】  ポリペプチドに結合する化合物を同定する方法であって、
該方法は、以下：
（ａ）請求項１４、１５、または１６のいずれか１項に記載のポリペプチドと化合物とを接触させる工程；および
（ｂ）該化合物に対する該ポリペプチドの結合の程度を決定する工程
を包含する、方法。
【請求項７４】  動物におけるポリペプチドのレベルを調節するための組成物であって、請求項１、２または３のいずれか１項に記載の核酸分子を含む、組成物。
【請求項７５】  哺乳動物におけるＭＫ６１レセプター活性を阻害するための組成物であって、該組成物は、配列番号２、配列番号４、配列番号６、配列番号８、配列番号１０、配列番号１２、配列番号１４、配列番号１６、配列番号３６および配列番号３９からなる群より選択されるアミノ酸配列を有する少なくとも１つのポリペプチドを含む、組成物。
【請求項７６】  哺乳動物におけるＭＫ６１リガンド活性を阻害するための組成物であって、該組成物は、配列番号２、配列番号４、配列番号６、配列番号８、配列番号１０、配列番号１２、配列番号１４、配列番号１６、配列番号３６および配列番号３９からなる群より選択されるアミノ酸配列を有する少なくとも１つのポリペプチドを含む、組成物。
【請求項７７】  ＭＫ６１レセプターシグナル伝達のネガティブ調節因子を含む、哺乳動物における免疫応答を刺激するための組成物。
【請求項７８】  請求項７７に記載の組成物であって、ここで、前記ネガティブ調節因子が、融合タンパク質、抗体、低分子、ペプチドおよびペプチド誘導体からなる群より選択される、組成物。
【請求項７９】  請求項７８に記載の組成物であって、ここで、前記融合タンパク質が配列番号１６、３６、または３９に記載のアミノ酸配列を含む、組成物。
【請求項８０】  ＭＫ６１レセプターのシグナル伝達のポジティブ調節因子を含む、免疫応答を阻害するための組成物。
【請求項８１】  請求項８０に記載の組成物であって、ここで、前記ポジティブ調節因子が、融合タンパク質、抗体、低分子、ペプチドおよびペプチド誘導体からなる群より選択される、組成物。
【請求項８２】  細胞表面結合ＭＫ６１リガンドを介する逆シグナル伝達を刺激するための組成物であって、該組成物が、ＭＫ６１リガンド逆シグナル伝達のポジティブ調節因子を含む、組成物。
【請求項８３】  請求項８４に記載の組成物であって、ここで、前記ポジティブ調節因子が、融合タンパク質、抗体、低分子、ペプチドおよびペプチド誘導体からなる群より選択される、組成物。
【請求項８４】  請求項８３に記載の組成物であって、ここで、前記融合タンパク質が、配列番号１６、配列番号３６、または配列番号３９のアミノ酸配列を含む、組成物。
【請求項８５】  細胞表面結合ＭＫ６１リガンドを介する逆シグナル伝達を阻害するための組成物であって、該組成物が、ＭＫ６１リガンド逆シグナル伝達のネガティブ調節因子を含む、組成物。
【請求項８６】  請求項８７に記載の組成物であって、ここで、前記ネガティブ調節因子が、融合タンパク質、抗体、低分子、ペプチドおよびペプチド誘導体からなる群より選択される、組成物。
【請求項８７】  哺乳動物における、Ｂ細胞およびＴ細胞のリンパ増殖性障害を処置するための組成物であって、該組成物は、治療有効量の、ＭＫ６１−Ｆｃ融合タンパク質、抗ＭＫ−６１抗体、アンチセンスオリゴヌクレオチド、ＭＫ６１リガンド、または抗ＭＫ６１リガンド抗体を含む、組成物。
【請求項８８】  請求項８７に記載の組成物であって、ここで、前記リンパ増殖性障害が、白血病、骨髄腫、Ｂリンパ腫、または非ホジキンリンパ腫である、組成物。
【請求項８９】  自己免疫疾患を処置するための組成物であって、該組成物は、治療有効量の、ＭＫ６１−Ｆｃ融合タンパク質、抗ＭＫ−６１抗体、アンチセンスオリゴヌクレオチド、ＭＫ６１リガンド、または抗ＭＫ６１リガンド抗体を含む、組成物。
【請求項９０】  請求項８９に記載の組成物であって、ここで前記自己免疫疾患が、慢性関節リウマチ、全身性エリテマトーデス（ＳＬＥ）、腸管性腸疾患、またはクローン病である、組成物。
【請求項９１】  炎症性疾患を処置するための組成物であって、該組成物は、治療有効量の、ＭＫ６１−Ｆｃ融合タンパク質、抗ＭＫ−６１抗体、アンチセンスオリゴヌクレオチド、ＭＫ６１リガンド、または抗ＭＫ６１リガンド抗体を含む、組成物。
【請求項９２】  請求項９１に記載の組成物であって、ここで、前記炎症性疾患が、慢性関節リウマチ、敗血症、腸管性腸疾患、またはクローン病である、組成物。
【請求項９３】  配列番号３６のシステインリッチドメインである残基２６〜６０を含むアミノ酸配列を有する、ポリペプチドフラグメント。